(57)【要約】      （修正有）【課題】住宅のキッチンカウンター下や家事室などに設置して壁側に直線的な状態に設置して棚として使用し、必要に応じて左右の回転カウンターの天板を手前に回転して引き出せば、テーブルとしても使用しうる回転式テーブルの提供をする。【解決手段】収納ボックス２と左右の回転カウンター３１ａ，３１ｂとからなり、左右の回転カウンターは一端を収納ボックス２上に係止させ、両他端をキャスター３２ａ，３２ｂ付きの脚部３３ａ，３３ｂで支承し、左右の回転カウンターを一直線状に配置して棚とし、また左右の回転カウンターを回転させ脚部同士３３ａ，３３ｂを手前に合わせて配置してテーブルとして使用しうるようにした回転式テーブル１を構成するものである。【選択図】図２
0003147422.tif 000002
【実用新案登録請求の範囲】
【請求項１】
収納ボックスと左右の回転カウンターとからなり、前記左右の回転カウンターは一端を前記収納ボックス上に係止させ両他端をキャスター付きの脚部で支承し、前記左右の回転カウンターを一直線状に配置し棚として使用し、また前記左右の回転カウンターを回転させ前記脚部同士を手前に合わせて配置すしテーブルとして使用しうるようにしたことを特徴とする回転式テーブル。
【請求項２】
収納ボックスと左右の回転カウンターと引出しボックスとからなり、前記左右の回転カウンターは一端を収納ボックス上に係止させ両他端をキャスター付きの脚部で支承し、前記収納ボックス上に前記回転カウンターの両一端を引出しボックスで載置するようにし、前記左右の回転カウンターを一直線状に配置し棚として使用し、また前記左右の回転カウンターを回転させ前記脚部同士を手前に合わせて配置しテーブルとして使用しうるようにしたことを特徴とする回転式テーブル。
【請求項３】
前記左右の回転カウンターは、回転軸と回転軸プレートと軸受リングプレートと回転軸固定ナットとからなる回転軸金具により一端を前記収納ボックス上に係止させた請求項１または請求項２記載の回転式テーブル。
【請求項４】
前記回転カウンターは、底面内側に前記回転軸プレートを装着する切欠きを設けた請求項１ないし請求項３のいずれかに記載の回転式テーブル。
【考案の詳細な説明】
【技術分野】
【０００１】
本考案は、回転式テーブルに係るものであり、さらに詳しくは、住宅のキッチンカウンター下または家事室などに設置し、壁側に棚として設置したり、天板のカウンターを手前に回転しテーブルとして使用することもできる回転式テーブルに関するものである。
【背景技術】
【０００２】
住宅のキッチンカウンター下や家事室などには、棚やテーブルを設置したい場合があるが、棚やテーブルを夫々配置したのでは場所が狭くなるので、これを一つの器具で兼用したい。即ち、使用時の用途に応じて、スペースの活用が生かされるものが好ましいが、従来そのようなものは、みあたらなかった。
【０００３】
回動式のテーブル付ボックスとしては、例えば特許文献１の先行技術がある。これは、テーブルを折畳み式にして、ボックスを回転しうるようにしたものである。従って、棚やテーブルを兼用しうるものではなかった。
【特許文献１】実登第３０１８０８９号公報
【０００４】
そこで、壁側に配置した場合には棚として使用し、必要に応じて手前のスペースに引き出して、テーブルとしても使用することのできるものが、一器具で兼用しうるものがあれば望ましい。
【考案の開示】
【考案が解決しようとする課題】
【０００５】
上記の事情に鑑み本考案は、住宅のキッチンカウンター下や家事室などに設置して壁側に直線的な状態に設置して棚として使用し、必要に応じて左右の回転カウンターの天板を手前に回転して引き出せば、テーブルとしても使用しうる回転式テーブルを提供することを課題とするものである。
【課題を解決するための手段】
【０００６】
本考案は上記目的を達成するために、収納ボックスと左右の回転カウンターとからなり、前記左右の回転カウンターは一端を前記収納ボックス上に係止させ両他端をキャスター付きの脚部で支承し、前記左右の回転カウンターを一直線状に配置し棚として使用し、また前記左右の回転カウンターを回転させ前記脚部同士を手前に合わせて配置すしテーブルとして使用しうるようにした回転式テーブルを構成するものである。
【０００７】
また、本考案は上記目的を達成するために、収納ボックスと左右の回転カウンターと引出しボックスとからなり、前記左右の回転カウンターは一端を収納ボックス上に係止させ両他端をキャスター付きの脚部で支承し、前記収納ボックス上に前記回転カウンターの両一端を引出しボックスで載置するようにし、前記左右の回転カウンターを一直線状に配置し棚として使用し、また前記左右の回転カウンターを回転させ前記脚部同士を手前に合わせて配置しテーブルとして使用しうるようにした回転式テーブルを構成するものである。
【考案の効果】
【０００８】
本考案の回転式テーブルは、使用時の用途に応じてスペースの活用が生かされる。
【０００９】
本考案の回転式テーブルは、回転時どこにも干渉せずに、回転することができる。
【００１０】
本考案の回転式テーブルは、収納ボックスと左右の回転カウンターの天板奥行きとに相関性があり、場所に応じた寸法を考慮して支点を設定することにより、どこにも干渉せずに回転させて設置することが可能となる。
【考案を実施するための最良の形態】
【００１１】
以下、本考案の実施例を図面に基づいて詳しく説明する。
【実施例１】
【００１２】
図１は、本考案の回転式テーブルの第１実施例を示す平面図、図２は、本考案の回転式テーブルの第１実施例を示す正面図である。
【００１３】
本考案の回転式テーブル１は、収納ボックス２と、左右の回転カウンター３ａ，３ｂとからなる標準タイプである。
【００１４】
収納ボックス２は、前面に可動棚２１を有している。収納ボックス２の左右には、図１、図２で示すような回転カウンター３ａ，３ｂを配置している。図１の実線で示す場合は、奥の壁側に直線的な状態に配置される場合を示しており、この場合は回転カウンター３ａ，３ｂは棚として使用される。
【００１５】
この左右の回転カウンター３ａ，３ｂは、上部に天板３１ａ，３１ｂを配設し、天板３１ａ，３２ｂは、一端を中央の収納ボックス２上に係止させており、両他端の下部は、キャスター３２ａ，３２ｂ付きの脚部３３ａ，３３ｂで支承している。
【００１６】
左右の回転カウンター３ａ，３ｂの天板３１ａ，３２ｂの両一端は、中央の収納ボックス２上に係止される。本実施例の天板３１ａ，３２ｂの収納ボックス２上に載置される長さは５０ｍｍであるが、これは一例であって、この寸法に限定されるわけではない。このようにして、図３で示すように、奥の壁側の手前に一直線状に配置した場合には、本考案の回転式テーブル１は棚として使用される。
【００１７】
本考案の回転式テーブル１０１は、図４に示すように、左右の回転カウンター３ａ，３ｂの天板３１ａ，３１ｂを、回転させて配置替えすることができる。さらに天板３１ａ，３１ｂの一端は中央の収納ボックス２上の前方で係止させ、両他端の脚部３３ａ，３３ｂを手前に回転させて、図５で示すように、天板３１ａ´，３１ｂ´同士を合わせて壁に対して直角に配置するようにしてテーブルとして使用することができる。本実施例の天板３１ａ，３１ｂの収納ボックス２上に載置される長さは奥行の半分の１５０ｍｍであるが、これは一例であって、この寸法に限定されるわけではない。このように段差があっても、商品的には問題ない。
【実施例２】
【００１８】
図６は、本考案の回転式テーブルの第２実施例を示す平面図、図７は、本考案の回転式テーブルの第２実施例を示す正面図、図３は、本考案の回転式テーブルの第２実施例を示す右側面図である。図４は、本考案の回転式テーブルに使用の引出しボックスで、（イ）は正面図、（ロ）は右側面図である。
【００１９】
本実施例の回転式テーブル１０１は、収納ボックス１０２と、左右の回転カウンター１０３ａ，１０３ｂと引出しボックス１０４とからなるタイプである。
【００２０】
収納ボックス１０２は、前面に可動棚１２１を有している。収納ボックス１０２の左右には、図１の実線で示すような回転カウンター１０３ａ，１０３ｂを配置している。即ち図１の実線で示す場合には、奥の壁側に直線的な状態に配置される場合を示しており、この場合は回転カウンター１０３ａ，１０３ｂは棚として使用することができる。
【００２１】
この左右の回転カウンター１０３ａ，１０３ｂは、上部に天板１３１ａ，１３１ｂを配し、天板１３１ａ，１３２ｂは、両一端を中央の収納ボックス１０２上に係止させており、両他端の下部は、キャスター１３２ａ，１３２ｂ付きの脚部１３３ａ，１３３ｂで支承している。
【００２２】
中央の収納ボックス１０２上に係止させた左右の回転カウンター１０３ａ，１０３ｂの天板１３１ａ，１３２ｂの両一端は、本実施例の場合には、その上に引出しボックス１０４を載置して固定している。本実施例の天板１３１ａ，１３２ｂの収納ボックス１０２の上に載置される長さは５０ｍｍであるが、これは飽くまでも一例であって、この寸法に限定されるわけではない。このようにして、図６の実線で示すように、奥の壁側の手前に一直線状に配置した場合には、本考案の回転式テーブル１０１は棚として使用される。
【００２３】
本実施例の回転式テーブル１０１は、図６１に一点破線で示すように、左右の回転カウンター１０３ａ，１０３ｂの天板１３１ａ，１３１ｂを、回転させて配置替えすることもできる。即ち、天板１３１ａ，１３１ｂの一端は中央の収納ボックス２上の前方で係止させ、両他端の脚部１３３ａ，１３３ｂを手前に回転させて、壁に対して直角に配置するように、図６の一点破線で示すように、天板１３１ａ´，１３１ｂ´同士を合わせて配置し、テーブルとして使用することができる。本実施例の場合の天板１３１ａ，１３１ｂの収納ボックス１０２の上に載置される長さは奥行きの半分の１５０ｍｍであるが、これは一例であって、この寸法に限定されるわけではない。このテーブルとして使用する場合は、左右が並んだ時点で、天板下に設置した金具により固定する。  
【００２４】
本実施例の引出しボックス１０４は、収納ボック１０２と回転カウンター１０３ａ，１０３ｂの天板１３１ａ，１３１ｂとの段差を隠すために設置しているのであるが、図９に示すように、下面にベース１４１を有し、このベース１４１は、左右部１４２ａ，１４２ｂと前面部１４３に凹みを設けており、この凹み１４２ａ，１４２ｂ，１４３の位置に夫々天板１３１ａ，１３１ｂの一端を挟んで係止させるようにしている。なお、この引出しボックス１０４の形状等は、今後追加商品として色々と対応するものが開発される。
【００２５】
本考案に使用される回転軸金具の一例を、本実施例で説明する。図１０は、本考案に使用する回転軸金具の拡大平面図、図１１は、同回転軸金具を縦断面で切断した拡大正面図、図１２は、回転軸金具の分解斜視図である。
【００２６】
回転軸金具１０５は、回転軸１５１と回転軸プレート１５２と軸受リングプレート１５３と回転軸固定ナット１５４とからなる。収納ボックス２，１０２の上板２２，１２２には貫通孔１５５を設け、貫通孔１５５に適合するように軸受リングプレート１５３が取り付けられる。また、回転カウンター３ａ，３ｂ，１０３ａ，１０３ｂの天板３１ａ，３１ｂ，１３１ａ，１３１ｂには回転板プレート１５２が取り付けられる。回転板プレート１５３には回転軸１５１が一体に取り付けられる。
【００２７】
回転カウンター３ａ，３ｂ，１０３ａ，１０３ｂの天板３１ａ，３１ｂ，１３１ａ，１３１ｂの裏面には、切り欠き部１３４ｂが設けられ、切り欠き部１３４ｂ内に回転軸プレート１５２がビス１５６で取り付けられる。また、収納ボックス２，１０２の上板２２，１２２に対しては、軸受リングプレート１５３をビス１５４で取り付けられる。回転軸１５１を軸受リングプレート１５３に嵌合し、回転軸固定ナット１５７で回転軸１５１を固定する。
従って、回転軸１５１によって、天板３１ａ，３１ｂ，１３１ａ，１３１ｂは回転することができる。そのため、収納ボックス２，１０２の側板２３，１２３の頂点に接触することはない。
【産業上の利用可能性】
【００２８】
本考案の回転式テーブルは、壁側に直線的に配置する場合には棚として、また天板を左右に回転して配置する場合にはテーブルとして、一つの器具で兼用することができ、住宅のキッチンカウンター下や家事室などに広く使用することのできるものである。
【図面の簡単な説明】
【００２９】
【図１】本考案の第１実施例の回転式テーブルの平面図である。
【図２】本考案の第１実施例の回転式テーブルの正面図である。
【図３】本考案の回転式テーブルを壁側に直線的に配置する場合の斜視図である。
【図４】本考案の回転式テーブルを左右に回転して配置する場合の斜視図である。
【図５】本考案の回転式テーブルを平行に配置する場合の斜視図である。
【図６】本考案の回転式テーブルの第２の実施例を示す平面図である。
【図７】本考案の回転式テーブルの第２の実施例を示す正面図である。
【図８】本考案の回転式テーブルの第２の実施例を示す右側面図である。
【図９】本考案に使用する引き出しボックスで、（イ）は正面図、（ロ）は縦断面で切断した拡大図である。
【図１０】本考案に使用する回転軸金具の拡大平面図である。
【図１１】同回転軸金具を縦断面で切断した拡大正面図である。
【図１２】同回転軸金具の分解斜視図である。
【符号の説明】
【００３０】
１                      回転式テーブル      
２                      収納ボックス      
２１                    収納ボックスの可動棚
２２                    収納ボックスの上板
３ａ，３ｂ              左右の回転カウンター
３１ａ，３１ｂ          回転カウンターの棚としての天板
３１ａ´，３１ｂ´      回転カウンターのテーブルとしての天板
３２ａ，３２ｂ          回転カウンターのキャスター
３３ａ，３３ｂ          回転カウンターの脚部
４                      引出しボックス
４１                    引出しのベース
４２ａ，４２ｂ          ベース左右の凹み
４３                    ベース前面の凹み
１０１                  回転式テーブル      
１０２                  収納ボックス      
１０３ａ，１０３ｂ      左右の回転カウンター
１０５                  回転軸金具
１２１                  収納ボックスの可動棚
１２２                  収納ボックスの上板
１２３                  収納ボックスの側板
１３１ａ，１３１ｂ      回転カウンターの棚としての天板
１３１ａ´，１３１ｂ´  回転カウンターのテーブルとしての天板
１３２ａ，１３２ｂ      回転カウンターのキャスター
１３３ａ，１３３ｂ      回転カウンターの脚部
１３４ｂ                回転カウンターの天板の切り欠き部
１５０                  回転軸金具
１５１                  回転軸
１５２                  回転軸プレート
１５３                  軸受リングプレート
１５４                  軸受リングプレートを収納ボックスに取り付けるビス
１５６                  回転軸プレートを天板に取り付けるビス
【図１】
0003147422.tif 000003
【図２】
0003147422.tif 000004
【図３】
0003147422.tif 000005
【図４】
0003147422.tif 000006
【図５】
0003147422.tif 000007
【図６】
0003147422.tif 000008
【図７】
0003147422.tif 000009
【図８】
0003147422.tif 000010
【図９】
0003147422.tif 000011
【図１０】
0003147422.tif 000012
【図１１】
0003147422.tif 000013
【図１２】
0003147422.tif 000014